(57)【特許請求の範囲】
【請求項１】
血小板を含む試料中に含まれる細胞を遠心分離を用いて分離回収する方法であって、血小板を含む試料が血小板ＧＰＩＩｂ／ＩＩＩａ受容体に対する阻害剤をさらに含む、前記方法。
【請求項２】
血小板を含む試料が親水性高分子を結合したタンパク質をさらに含む、請求項１に記載の方法。
【請求項３】
血小板を含む試料が糖をさらに含む、請求項１または２に記載の方法。
【請求項４】
血小板ＧＰＩＩｂ／ＩＩＩａ受容体に対する阻害剤が、０．５μｇ／ｍＬ以上のチロフィバンである、請求項１から３のいずれか一項に記載の方法。
【発明の詳細な説明】
【技術分野】
【０００１】
本発明は、試料中に含まれる細胞を効率的に分離回収する方法に関する。特に本発明は、前記試料中に含まれる細胞数が非常に少ない場合であっても、効率的に前記細胞を分離回収可能な方法に関する。
【背景技術】
【０００２】
近年、血液などの体液や、臓器などの組織を溶液に懸濁もしくは分散して得られる組織標本試料や細胞培養液などから細胞を選択的に分離回収し、当該分離回収した細胞を基礎研究や臨床診断、治療へ応用する研究が進められている。例えば、がん患者より採取した血液から腫瘍細胞（Ｃｉｒｃｕｌａｔｉｎｇ  Ｔｕｍｏｒ  Ｃｅｌｌ、以下ＣＴＣ）を採取し、当該細胞について形態学的分析、組織型分析や遺伝子分析を行ない、前記分析により得られた知見に基づき治療方針を判断する研究が進められている。
【０００３】
試料中に含まれる細胞を回収する方法として、従来より遠心分離を利用した方法が用いられており、前記細胞をより多く回収するための効率のよい分離回収方法が求められている。しかしながら、試料が全血などの血液成分を含む試料の場合、遠心分離により、当該試料中に含まれるフィブリノーゲン、フィブリン、血小板などの凝集因子により凝集体を形成し、当該凝集体が前記試料中に含まれる細胞を取り込むことで、前記細胞の分離回収を困難にしていた。
【０００４】
特許文献１は、細胞を含む試料にヘパリンを添加し、当該試料中に含まれるフィブリンポリマーによる血液凝固を抑制することで、当該試料中に含まれる希少な細胞を分離回収する方法を開示している。しかしながら血小板を含む試料については、引用文献１に記載の方法を用いても効率的な分離回収は困難であった。
【先行技術文献】
【特許文献】
【０００５】
【特許文献１】国際公開第２００４／０２９２０８号
【発明の概要】
【発明が解決しようとする課題】
【０００６】
本発明の課題は、試料中に含まれる細胞を遠心分離を用いて分離回収する方法において、試料中に含まれる血小板の影響を受けることなく、前記細胞を効率的に分離回収する方法を提供することにある。
【課題を解決するための手段】
【０００７】
上記課題を解決するために、本発明者らは鋭意検討を重ねた結果、本発明に到達した。
【０００８】
すなわち本発明の第一の態様は、血小板を含む試料中に含まれる細胞を遠心分離を用いて分離回収する方法であって、血小板を含む試料が血小板ＧＰＩＩｂ／ＩＩＩａ受容体に対する阻害剤をさらに含む、前記方法である。
【０００９】
また本発明の第二の態様は、血小板を含む試料が親水性高分子を結合したタンパク質をさらに含む、前記第一の態様に記載の方法である。
【００１０】
また本発明の第三の態様は、血小板を含む試料が糖をさらに含む、前記第一または第二の態様に記載の方法である。
【００１１】
また本発明の第四の態様は、血小板ＧＰＩＩｂ／ＩＩＩａ受容体に対する阻害剤が、０．５μｇ／ｍＬ以上のチロフィバンである、前記第一から第三の態様のいずれか一つに記載の方法である。
【００１２】
以下、本発明を詳細に説明する。
【００１３】
本発明における血小板を含む試料の例として、血液、希釈血液、血清、血漿、臍帯血、成分採血液、骨髄液、リンパ液、組織液、腹水などの生体試料や、肝臓、肺、脾臓、腎臓、腫瘍、リンパ節といった血液を含む組織の一片を適切な緩衝液で懸濁させた懸濁液があげられる。またこれらの試料や懸濁液を遠心分離などにより分離回収して得られた、目的細胞を含む画分も、本発明における血小板を含む試料に含まれる。
【００１４】
本発明の細胞の分離回収方法では、血小板を含む試料にあらかじめ血小板ＧＰＩＩｂ／ＩＩＩａ受容体に対する阻害剤を含ませてから遠心分離することで、前記試料中に含まれる細胞を回収することを特徴としている。背景技術に記載の通り、試料中に含まれる血小板が凝集体を形成すると、当該凝集体により試料中に含まれる細胞の分離回収が困難になるため、何らかの方法で血小板の凝集を阻害させる必要がある。前記阻害させる方法の一例として、血小板を含む試料に血小板凝集阻害剤を含ませる方法がある。
【００１５】
血小板凝集阻害剤には、例えば、血小板ＡＤＰ受容体を遮断し、血小板セロトニン２受容体を遮断し、血小板シクロオキシゲナーゼを阻害し、または血小板ＧＰＩＩｂ／ＩＩＩａ受容体を遮断することにより、血小板機能に直接の影響を与えて、血小板の凝集を阻害する物質がある。血小板ＡＤＰ受容体を遮断し、血小板セロトニン２受容体を遮断し、血小板シクロオキシゲナーゼを阻害する阻害剤は、主に血小板膜表面の受容体を阻害、または受容体からのシグナル経路の阻害剤として働き、血小板凝集に関わる血小板ＧＰＩＩｂ／ＩＩＩａ受容体の発現に寄与している血小板内のカルシウムイオン濃度の上昇を抑制するために適用される。一方、血小板ＧＰＩＩｂ／ＩＩＩａ受容体に対する阻害剤は、ｖｏｎ  Ｗｉｌｌｅｂｒａｎｄ因子や、フィブリノーゲンなどを介した、血小板間の血小板膜表面に発現した血小板ＧＰＩＩｂ／ＩＩＩａ受容体同士の結合による凝集を抑制する働きを有する。
【００１６】
本発明者らは血小板を含む試料に含ませる血小板凝集阻害剤について鋭意検討した結果、血小板ＡＤＰ受容体を遮断し、血小板セロトニン２受容体を遮断し、血小板シクロオキシゲナーゼを阻害する阻害剤よりも、血小板ＧＰＩＩｂ／ＩＩＩａ受容体に対する阻害剤が好ましいことがわかった。血小板を含む試料中に含まれる細胞を遠心分離を用いて分離回収する操作では、遠心力による血小板へのずり応力により血小板内のカルシウムイオン濃度が上昇すると考えられる。そのため血小板ＧＰＩＩｂ／ＩＩＩａ受容体に直接作用する、前記受容体に対する阻害剤が本発明の方法で用いる血小板凝集阻害剤として好ましいといえる。
【００１７】
血小板ＧＰＩＩｂ／ＩＩＩａ受容体に対する阻害剤の一例として、チロフィバン（ｔｉｒｏｆｉｂａｎ）、アブシキシマブ（ａｂｃｉｘｉｍａｂ）、エプチフィバチド（ｅｐｔｉｆｉｂａｔｉｄｅ）が例示できる。血小板ＧＰＩＩｂ／ＩＩＩａ阻害剤としてチロフィバンを用いる場合は、血小板を含む試料に０．５μｇ／ｍＬ以上含ませればよく、０．６μｇ／ｍＬ以上含ませるとより好ましく、０．７μｇ／ｍＬから５μｇ／ｍＬの範囲で含ませるとさらに好ましく、０．７５μｇ／ｍＬから３μｇ／ｍＬの範囲で含ませるとさらにより好ましい。
【００１８】
本発明では、血小板を含む試料に、血小板ＧＰＩＩｂ／ＩＩＩａ受容体に対する阻害剤に加え、親水性高分子を結合したタンパク質をさらに含ませると試料中に含まれる細胞を効率的に回収できる点で好ましい。親水性高分子は電荷を持たない親水性高分子であればよく、一例としてポリエチレングリコール、ポリビニルピロリドン、ポリビニルアルコール、ポリ（ヒドロキシアルキル）メタクリレート、ポリアクリルアミド、ホスホリルコリン基を側鎖に有するポリマー、多糖類、ポリペプチドがあげられる。タンパク質は水溶性を有していればよく、一例として血清由来タンパク質や血漿由来タンパク質などの血液由来タンパク質やカゼインなどの乳由来タンパク質があげられ、さらに具体的な例として当業者が通常用いる血清由来タンパク質である、ウシ血清アルブミン（ＢＳＡ）があげられる。親水性高分子を結合したタンパク質は、前述した親水性高分子とタンパク質とが一定の割合で結合したタンパク質であり、例えば、タンパク質と結合可能な官能基（例えば、Ｎ−ヒドロキシスクシンイミド基）を付与した親水性高分子とタンパク質とを一定のモル比で反応させることで得られる。なお親水性高分子とタンパク質との反応比は、タンパク質に対し親水性高分子を０．０１以上のモル比で反応させればよく、０．５以上のモル比で反応させればより好ましく、２以上のモル比で反応させると最も好ましい（一例として、血液由来タンパク質または乳タンパク質に対し親水性高分子を２以上のモル比で反応させると、血液由来タンパク質に対しては親水性高分子が実測モル比１以上で結合し、乳由来タンパク質に対しては親水性高分子が実測モル比０．２以上で結合する）（特開２０１６−１０６６２２号公報参照）。
【００１９】
また本発明では、血小板を含む試料に、血小板ＧＰＩＩｂ／ＩＩＩａ受容体に対する阻害剤に加え、糖をさらに含ませると試料中に含まれる細胞へのダメージが少なくなる点で好ましい。糖の一例として、マンニトール、グルコース、スクロースがあげられる。血小板を含む試料に含ませる糖の濃度は等張液となる濃度とすると好ましく、糖としてマンニトールを用いる場合は終濃度で２５０ｍＭから３５０ｍＭの間が好ましい範囲といえる。
【００２０】
さらに本発明では、血小板を含む試料に、血小板ＧＰＩＩｂ／ＩＩＩａ受容体に対する阻害剤に加え、塩化カルシウムや塩化マグネシウムなどの電解質や、ＢＳＡ等のタンパク質をさらに含ませてもよい。
【００２１】
本発明の方法で分離回収した細胞は、例えば、スライドに塗布したり、顕微鏡や光学検出器などで観察したり、フローサイトメトリーを用いて測定すればよい。なお顕微鏡や光学検出器などで観察して細胞の測定を行なう場合、前記細胞を含む懸濁液を、前記細胞を保持可能な保持部を有した細胞保持手段に導入し、前記保持部に前記細胞を保持した後、顕微鏡や光学検出器などで観察するとよい。保持部の例として、前記細胞を収納可能な孔や、前記細胞を固定可能な材料（例えば、ポリ−Ｌ−リジン）で覆われた面があげられる。なお保持部の大きさを前記細胞を一つだけ保持可能な大きさとすると、特定細胞の採取および解析（形態学的分析、組織型分析、遺伝子分析など）が容易に行なえる点で好ましい。また細胞を保持部に保持させる際、誘電泳動力を用いると、保持部に細胞を効率的に保持させることができる点で好ましい。誘電泳動力を用いる場合、具体的には、交流電圧を印加することで誘電泳動を発生させ、保持部内へ細胞を導入すればよい。印加する交流電圧は、保持部内の細胞の充放電が周期的に繰り返される波形を有した交流電圧であると好ましく、周波数を１００ｋＨｚから３ＭＨｚの間とし、電界強度を１×１０５から５×１０５Ｖ／ｍの間とすると特に好ましい（ＷＯ２０１１／１４９０３２号および特開２０１２−０１３５４９号公報参照）。
【００２２】
以下、本発明の分離回収方法の一例として、血液中に含まれる腫瘍細胞（ＣＴＣ）を分離回収する方法を説明するが、本発明は本説明の内容に限定されるものではない。
（１）がんの疑いのある患者から血液を採取する。なお血液を採取する際、クエン酸、ヘパリン、エチレンジアミン四酢酸（ＥＤＴＡ）などの抗凝固剤を添加してもよい。また必要に応じ、採取した血液を生理食塩水などで希釈してもよい。
（２）（１）で採取した血液（または希釈した血液）に、血小板ＧＰＩＩｂ／ＩＩＩａ受容体に対する阻害剤（例えばチロフィバン）を含む溶液を添加し、密度勾配遠心法を用いて、ＣＴＣを分離する。チロフィバンの濃度は、前記血液（または前記希釈した血液）に対する終濃度として、０．５μｇ／ｍＬ以上とすればよく、０．６μｇ／ｍＬ以上とするとより好ましく、０．７μｇ／ｍＬから５μｇ／ｍＬの間とするとさらに好ましく、０．７５μｇ／ｍＬから３μｇ／ｍＬの間とするとさらにより好ましい。密度勾配遠心法は細胞をその比重に基づき分離する方法であり、密度勾配を形成した媒体（密度勾配形成用媒体）上に採取した血液（または希釈した血液）を重層した後、遠心分離を行ない、目的とするＣＴＣを含む層（上層）を回収することで、不要な細胞を除去したＣＴＣを含む画分を得る。なお密度勾配遠心を行なう前に、血液または希釈血液に、不要な細胞である赤血球、白血球と結合可能な結合剤（例えば、ＲｏｓｅｔｔｅＳｅｐ（ＳｔｅｍＣｅｌｌ  Ｔｅｃｈｎｏｌｏｇｉｅｓ社製））を添加するとよい。前記結合剤は、赤血球、白血球、および／またはこれら細胞の表面抗原と結合することで細胞凝集体を形成し、これら細胞の密度を大きくすることができるため、密度勾配遠心法によるＣＴＣの分離を容易にする。一方、密度勾配遠心による血小板を除去する結合剤（例えば、ＲｏｓｅｔｔｅＳｅｐ  Ｈｕｍａｎ  Ｃｉｒｃｕｌａｔｉｎｇ  Ｅｐｉｔｈｅｌｉａｌ  Ｔｕｍｏｒ  Ｃｅｌｌ  Ｅｎｒｉｃｈｍｅｎｔ  Ｃｏｃｋｔａｉｌ（ＳｔｅｍＣｅｌｌ  Ｔｅｃｈｎｏｌｏｇｉｅｓ社製））を添加することは好ましくない。ＣＴＣの一部は、貪食細胞からの認識を回避し遠隔部位への高い転移能を獲得するために血小板を纏う性質を獲得している。そのため前述した血小板を除去する結合剤を添加すると、血小板による凝集体形成の抑制には有効であるが、高転移能を獲得しているＣＴＣの分離回収は困難となる。
（３）（２）で得られたＣＴＣを含む画分を遠心分離することで血液成分を除去し、当該ＣＴＣをペレット状にした後、血小板ＧＰＩＩｂ／ＩＩＩａ受容体に対する阻害剤を含む溶液を添加し、ＣＴＣを懸濁させる。なおこの時、親水性高分子を結合したタンパク質（例えば、ポリエチレングリコールを結合したＢＳＡ）を含む溶液を添加してもよい。親水性高分子を結合したタンパク質の濃度は、懸濁液でのタンパク質の終濃度として、０．０１から２５％（ｗ／ｖ）の間であればよく、０．０２から５％（ｗ／ｖ）の間であればより好ましく、０．０５から２％（ｗ／ｖ）の間であればさらに好ましい。
（４）（３）で調製したＣＴＣを含む懸濁液を再度遠心分離し、ＣＴＣを含むペレットを回収する。なお必要に応じ、前記回収したペレットを血小板ＧＰＩＩｂ／ＩＩＩａ受容体に対する阻害剤を含む溶液に再度懸濁させ、遠心分離する工程を追加してもよい。
【発明の効果】
【００２３】
本発明は、血小板を含む試料中に含まれる細胞を遠心分離して回収する方法であって、前記試料に血小板ＧＰＩＩｂ／ＩＩＩａ受容体に対する阻害剤を含ませてから遠心分離することを特徴としている。本発明により、血小板を含む試料中に含まれる細胞を高効率に分離回収することができる。特に前記試料中に含まれる細胞量が非常に少ない場合に有用な方法である。
【００２４】
一例として本発明を、血液中に含まれる腫瘍細胞（ＣＴＣ）の分離回収に適用することで、採血量を少なくすることができ、患者への負担を低減させることができる。またがんの診断をＣＴＣの存在により行なう場合、ＣＴＣの有無の判断結果に対する信頼性が向上するため、精度高くがんを診断することができる。
【実施例】
【００２５】
以下、実施例および比較例を用いて本発明をさらに詳細に説明するが、本発明は当該例に限定されるものではない。
【００２６】
実施例１
（１）ヒト乳がん細胞（ＳＫＢＲ３）を、５％ＣＯ２環境下、１０％ＦＢＳを含むＲＰＭＩ−１６４０培地を用いて３７℃で２４から９６時間培養後、０．２５％トリプシン／１ｍＭ  ＥＤＴＡを用いて培地から細胞を剥離し、蛍光染色色素（ＣＦＳＥ、同仁化学研究所社製）で標識した。蛍光標識されたＳＫＢＲ３細胞を目的とする細胞とした。
（２）インフォームドコンセントを得た健常人から血液をＥＤＴＡ−２Ｋ採血管（ＶＰ−ＤＫ０５０Ｋ、テルモ社製）に３ｍＬ採血後、前記採血管に３ｍＬの生理食塩水、７５μＬの白血球・赤血球結合剤（ＲｏｓｅｔｔｅＳｅｐ、ＳｔｅｍＣｅｌｌ  Ｔｅｃｈｎｏｌｏｇｉｅｓ社製）、ならびに（１）で蛍光標識した約５０個のＳＫＢＲ３細胞およびチロフィバンを含む３００ｍＭマンニトール溶液１８０μＬを添加することで、希釈血液試料を調製した。
（３）調製した希釈血液試料を、密度１．０９１ｇ／ｍＬの密度勾配溶液に重層し、２０００×ｇで１０分間、２５℃で遠心後、上清を回収した。
（４）（３）で回収した上清に、０．９％（ｗ／ｖ）塩化アンモニウムと０．１％（ｗ／ｖ）炭酸水素カリウムとを含む溶血液で３０ｍＬまでメスアップ後、３００×ｇで１０分間、２５℃で遠心分離した。当該操作により上清に混入した赤血球が破壊され、分離回収したＳＫＢＲ３細胞の観察が良好になる。
（５）上清を除去後、ＳＫＢＲ３細胞を含むペレットを、チロフィバンを含む３００ｍＭマンニトール溶液３０ｍＬで再懸濁した。
（６）再懸濁液を３００×ｇで５分間、２５℃で遠心分離後、上清を除去し、再度、ＳＫＢＲ３細胞を含むペレットを、チロフィバンを含む３００ｍＭマンニトール溶液３０ｍＬで懸濁した。当該操作は、血液成分を除去し、目的とするＳＫＢＲ３細胞を濃縮するための操作である。
（７）（６）で得られたＳＫＢＲ３細胞懸濁液を３００×ｇで５分間、２５℃で遠心分離し、上清を除去した。
（８）（７）で上清を除去したＳＫＢＲ３細胞を含む懸濁液を細胞診断チップに導入し、交流電圧を３分間印加することで前記チップが有する保持部にＳＫＢＲ３細胞を保持させた。本実施例で用いた細胞診断チップは、直径３０μｍで深さ３０μｍの微細孔からなる微細孔を複数有した絶縁体と前記絶縁体と下部電極基板の間に設置した遮光性のクロム膜とからなる保持部を、厚さ１ｍｍのスペーサーと下部電極基板とで挟んだ構造であり、前記スペーサーを上部電極基板と下部電極基板とで挟んだ構造である。
（９）細胞診断チップに保持されたＳＫＢＲ３細胞数を計測し、（２）で添加したＳＫＢＲ３細胞数で除することで回収率を算出した。
【００２７】
比較例１
実施例１（２）、（５）および（６）でＳＫＢＲ３細胞に懸濁させる溶液として、
３００ｍＭマンニトール溶液（液温２５℃または０℃）、
ヘパリンを含む３００ｍＭマンニトール溶液（液温２５℃）、または
チクロピジンを含む３００ｍＭマンニトール溶液（液温２５℃）、
を用いた他は、実施例１と同様な方法で、ＳＫＢＲ３細胞の分離回収および回収率の算出を行なった。
【００２８】
実施例１および比較例１での回収率の結果をまとめて表１に示す。なお表１において、マンニトール以外の添加物濃度は、前記塩化アンモニウムと炭酸水素カリウムとを含む溶血液、または３００ｍＭマンニトール溶液で３０ｍＬにメスアップしたときの終濃度を示す。
【００２９】
遠心分離を用いた血液試料からのがん細胞分離回収工程において、前記試料に血小板ＧＰＩＩｂ／ＩＩＩａ受容体に対する阻害剤であるチロフィバンを０．５μｇ／ｍＬ以上含ませることで、チロフィバンを含まない場合や、ヘパリンを含ませた場合や、血小板ＡＤＰ受容体を遮断する阻害剤であるチクロピジンを含ませた場合と比較し、血小板凝集を抑制していることがわかる。またチロフィバンを０．５μｇ／ｍＬ以上含ませて、がん細胞の分離回収を行なうことで、血小板の凝集が確認されなかった液温０℃の３００ｍＭマンニトール溶液を用いたとき（回収率７０％）と比較し、回収率が向上していることがわかる（回収率約９０％）。また塩化アンモニウムと炭酸水素カリウムとを含む溶血液を添加する工程（実施例１（４））において、チロフィバンを含ませた場合は析出物は形成しなかったが、チクロピジンを含ませた場合は終濃度が１００μｇ／ｍＬ以上で白色の析出物が形成し、１０００μｇ／ｍＬでは形成した白色の析出物により血小板凝集の有無の評価が困難となった。
【００３０】
添加するチロフィバン濃度を検討したところ、チロフィバン濃度の上昇に伴い血小板の凝集抑制能が向上し、チロフィバン濃度０．７５μｇ／ｍＬ以上では、試料中に含まれるがん細胞（ＳＫＢＲ３細胞）を高回収率（回収率約９０％）で回収することができた。
【００３１】
【表１】
0006686768.tif 000002
実施例２
実施例１（１）での目的とする細胞として、ヒト小細胞肺がん細胞（Ｈ６９）を用い、実施例１（２）、（５）および（６）の細胞を懸濁させる溶液として、０．７５μｇ／ｍＬのチロフィバンを含む３００ｍＭマンニトール溶液を用いた他は、実施例１と同様な方法で細胞の分離回収および回収率の算出を行なった。
【００３２】
比較例２
実施例１（２）で血液に添加する白血球・赤血球結合剤として、白血球、赤血球および血小板と結合可能なＲｏｓｅｔｔｅＳｅｐ  Ｈｕｍａｎ  Ｃｉｒｃｕｌａｔｉｎｇ  Ｅｐｉｔｈｅｌｉａｌ  Ｔｕｍｏｒ  Ｃｅｌｌ  Ｅｎｒｉｃｈｍｅｎｔ  Ｃｏｃｋｔａｉｌ（ＳｔｅｍＣｅｌｌ  Ｔｅｃｈｎｏｌｏｇｉｅｓ社製）を用い、実施例１（２）、（５）および（６）の細胞を懸濁させる溶液として、３００ｍＭマンニトール溶液を用いた他は、実施例１と同様な方法で細胞の分離回収および回収率の算出を行なった。
【００３３】
実施例２および比較例２での回収率の結果をまとめて表２に示す。血小板の凝集は、実施例２、比較例２ともに確認されなかった。一方、細胞の回収率は、白血球・赤血球結合剤として、血小板も結合する結合剤を用いたとき（比較例２）は、血小板は結合しない結合剤を用いたとき（実施例２、回収率８４．１％）と比較し、大幅に減少した（０．７％）。
【００３４】
以上の結果から、比較例２のように血小板を結合する結合剤を添加する場合では、血小板を纏う性質を有した細胞を回収できないため、細胞の回収率が大幅に低下することが分かる。これに対し、実施例２では、血小板を結合しない結合剤を使用しているため、比較例２より細胞の回収率が大幅に上昇した。つまり、細胞の中には、血小板を纏う性質を有した細胞が存在するため、血小板とは結合しない白血球・赤血球結合剤を使用することによって、前記細胞をより回収することが可能であることが確認できた。
【００３５】
【表２】
0006686768.tif 000003
実施例３
（１）一方の末端がメトキシ基であり、もう一方の末端がＮ−ヒドロオキシスクシンイミドエステル基である、分子量５０００のポリエチレングリコール（ｍＰＥＧ−ＮＨＳ）と、ウシ血清アルブミン（ＢＳＡ）（３００ｍｇ、０．３ｍｍｏｌ／Ｌ）とを、炭酸水素ナトリウム緩衝液（０．１Ｍ、１５ｍＬ）に溶解させ、当該溶液を２５℃で３時間撹拌することでポリエチレングリコールを結合したＢＳＡ（ＰＥＧ−ＢＳＡ）を調製した。なお調製する際、ｍＰＥＧ−ＮＨＳとＢＳＡとのモル比（ｍＰＥＧ−ＮＨＳ／ＢＳＡ）を２となるようにした。調製後、分画分子量１００００の透析膜を用いて、純水への溶液置換を３日間行なった。
（２）実施例１（５）および（６）のＳＫＢＲ３細胞に懸濁させる溶液として、チロフィバンおよび（１）で調製したＰＥＧ−ＢＳＡ（ＢＳＡとして１％（ｗ／ｖ））を含む３００ｍＭマンニトール溶液、を用いた他は、実施例１と同様な方法でＳＫＢＲ３細胞の分離回収および回収率の算出を行なった。
【００３６】
比較例３
実施例１（２）のＳＫＢＲ３細胞に懸濁させる溶液および実施例１（５）および（６）のＳＫＢＲ３細胞に懸濁させる溶液の組み合わせとして、表３に示す組み合わせを用いた他は、実施例１と同様な方法で、ＳＫＢＲ３細胞の分離回収および回収率の算出を行なった。なお表３に記載の「ＰＥＧ−ＢＳＡ」とは実施例３（１）で調製したＰＥＧ−ＢＳＡであり、ＢＳＡとして１％（ｗ／ｖ）含んだ溶液である。
【００３７】
【表３】
0006686768.tif 000004
実施例３および比較例３での回収率の結果をまとめて表４に示す。なお表４において、マンニトール以外の添加物濃度は、塩化アンモニウムと炭酸水素カリウムとを含む溶血液、またはマンニトール溶液で３０ｍＬにメスアップしたときの終濃度を示す。
【００３８】
遠心分離を用いたがん細胞の分離回収工程において、血小板ＧＰＩＩｂ／ＩＩＩａ受容体に対する阻害剤であるチロフィバンを０．５μｇ／ｍＬ以上含ませることで、チロフィバンを含まない場合や、ヘパリンを含ませた場合や、チクロピジンを含ませた場合と比較し、血小板凝集を抑制していることがわかる。
【００３９】
またチロフィバンを含む溶液同士で比較したところ、チロフィバン濃度の上昇に伴い、血小板の凝集抑制能が向上し、チロフィバン濃度０．７５μｇ／ｍＬ以上では、試料中に含まれるがん細胞（ＳＫＢＲ３細胞）を高回収率（回収率約９５％）で回収することができた。さらに実施例１との比較から、試料中に親水性高分子を結合したタンパク質であるＰＥＧ−ＢＳＡをさらに含ませることで、回収率が向上（ＰＥＧ−ＢＳＡなし（実施例１）：約９０％、ＰＥＧ−ＢＳＡあり（実施例３）：約９５％）することがわかる。
【００４０】
【表４】
0006686768.tif 000005